(57)【要約】【課題】かご位置調整ロープが、ガイドレールと干渉することがないとともに、かごの重心を支えることのできるダブルデッキエレベーターの提供。【解決手段】主枠の内側に配置され、一対の上かごガイドレール２に沿って上下動可能な上かご３と、この上かごの下部に取付けられる上かごプーリ４ａ、４ｂと、主枠の内側で上かごの下方に配置され、一対の下かごガイドレールに沿って上下動可能な下かごと、この下かごの下部に取付けられる下かごプーリと、上かご及び下かごを主枠に対して吊り下げるかご位置調整ロープとを備えたダブルデッキエレベーターにおいて、対となって互いに対峙する上かごプーリ、及び下かごプーリのそれぞれを、レール芯と交差するように斜めに取付けるとともに、上かごプーリに巻き掛けられたかご位置調整ロープの軌跡９ａと、下かごプーリに巻き掛けられたかご位置調整ロープの軌跡とが交差するように配置した。【選択図】図２
2010275042.tif 000002
【特許請求の範囲】
【請求項１】
昇降路内を昇降する主枠と、この主枠の内側に配置され、一対の上かごガイドレールに沿って上下動可能な上かごと、この上かごの下部に取付けられる２つの上かごプーリと、前記主枠の内側で前記上かごの下方に配置され、一対の下かごガイドレールに沿って上下動可能な下かごと、この下かごの下部に取付けられる２つの下かごプーリと、前記主枠の上部に搭載され、かつかご位置調整駆動シーブを有し、前記上かご及び前記下かごを上下動させることにより両者の間隔を変化させるかご位置調整駆動装置と、前記かご位置調整駆動シーブ、前記上かごプーリ、及び前記下かごプーリに巻き掛けられ、前記上かご及び前記下かごを前記主枠に対して吊り下げるかご位置調整ロープとを備えたダブルデッキエレベーターにおいて、
対となって互いに対峙する前記上かごプーリ、及び前記下かごプーリのそれぞれは、レール芯と交差するように斜めに取付けられるとともに、前記上かごプーリに巻き掛けられた前記かご位置調整ロープの軌跡と、前記下かごプーリに巻き掛けられた前記かご位置調整ロープの軌跡とが交差するように配置されることを特徴としたダブルデッキエレベーター。
【請求項２】
対となる上かご緩衝器は、前記上かごプーリに巻き掛けられた前記かご位置調整ロープの軌跡と交差する位置に配置されるとともに、対となる下かご緩衝器は、前記下かごプーリに巻き掛けられた前記かご位置調整ロープの軌跡と交差するように配置されることを特徴とした請求項１記載のダブルデッキエレベーター。
【発明の詳細な説明】
【技術分野】
【０００１】
本発明は、主枠内に上下２つのかごを有するダブルデッキエレベーターに関する。
【背景技術】
【０００２】
従来、主枠内の上下２つのかごを移動可能としたダブルデッキエレベーターにあっては、上かごの上部に、上かご及び下かごを上下動させることにより両者の間隔を変化させるかご位置調整駆動装置を設置し、このかご位置調整駆動装置と上かごのかご下、及び下かごのかご下に設けたプーリにかご位置調整ロープを巻き掛けた構成としている（例えば、特許文献１参照）。
【先行技術文献】
【特許文献】
【０００３】
【特許文献１】特開２００７−３３１８７１（段落番号０００８〜００１５、図１）
【発明の概要】
【発明が解決しようとする課題】
【０００４】
しかしながら、前述した従来のダブルデッキエレベーターでは、かご位置調整ロープによる上かご及び下かごの吊位置の説明がなく、上かご及び下かごを案内するガイドレールと干渉することなくどのようにローピングを行なうかについては特に言及されていなかった。
【０００５】
本発明は、前述した従来技術における実状からなされたもので、その目的は、かご位置調整ロープが、ガイドレールと干渉することがないとともに、かごの重心を支えることのできるダブルデッキエレベーターを提供することにある。
【課題を解決するための手段】
【０００６】
前記目的を達成するために、本発明の請求項１に係る発明は、昇降路内を昇降する主枠と、この主枠の内側に配置され、一対の上かごガイドレールに沿って上下動可能な上かごと、この上かごの下部に取付けられる２つの上かごプーリと、前記主枠の内側で前記上かごの下方に配置され、一対の下かごガイドレールに沿って上下動可能な下かごと、この下かごの下部に取付けられる２つの下かごプーリと、前記主枠の上部に搭載され、かつ、かご位置調整駆動シーブを有し、前記上かご及び前記下かごを上下動させることにより両者の間隔を変化させるかご位置調整駆動装置と、前記かご位置調整駆動シーブ、前記上かごプーリ、及び前記下かごプーリに巻き掛けられ、前記上かご及び前記下かごを前記主枠に対して吊り下げるかご位置調整ロープとを備えたダブルデッキエレベーターにおいて、対となって互いに対峙する前記上かごプーリ、及び前記下かごプーリのそれぞれは、レール芯と交差するように斜めに取付けられるとともに、前記上かごプーリに巻き掛けられた前記ご位置調整用ロープの軌跡と、前記下かごプーリに巻き掛けられた前記かご位置調整ロープの軌跡とが交差するように配置されることを特徴としている。
【０００７】
このように構成した本発明の請求項１に係る発明では、対となって互いに対峙する上かごプーリ、及び下かごプーリのそれぞれを、レール芯と交差するように斜めに取付けることで、上かごガイドレール及び下かごガイドレールと干渉しないかご位置調整ロープのローピングを可能とするとともに、かご位置調整ロープがかごの重心を支えることを可能とした。また、上かごプーリに巻き掛けられたかご位置調整ロープの軌跡と、下かごプーリに巻き掛けられたかご位置調整ロープの軌跡とは交差するものであることから、上かごのローピングと、下かごのローピングが互いに干渉することがない。
【０００８】
また、本発明の請求項２に係る発明は、対となる上かご緩衝器は、前記上かごプーリに巻き掛けられた前記かご位置調整ロープの軌跡と交差する位置に配置されるとともに、対となる下かご緩衝器は、前記下かごプーリに巻き掛けられた前記かご位置調整ロープの軌跡と交差するように配置されることを特徴としている。
【０００９】
このように構成した本発明の請求項２に係る発明では、対となる上かご緩衝器を、上かごプーリに巻き掛けられたかご位置調整ロープの軌跡と交差する位置に配置するとともに、対となる下かご緩衝器を、下かごプーリに巻き掛けられたかご位置調整ロープの軌跡と交差するように配置することで、緩衝器がかごプーリと干渉することのない構造とすることができる。
【発明の効果】
【００１０】
本発明によれば、ガイドレールと干渉しないかご位置調整ロープのローピングを可能とした。また、かご位置調整ロープがかごの重心を支えることも可能とし、これによって、かごの偏荷重を軽減し、走行中の振動が少なく乗り心地の良いエレベーターとすることができる。
【図面の簡単な説明】
【００１１】
【図１】本発明が適用されるダブルデッキエレベーターの概略構成図である。
【図２】本発明に係るダブルデッキエレベーターの第１の実施例を示す上かごの上面図である。
【図３】本発明に係るダブルデッキエレベーターの第１の実施例を示す下かごの上面図である。
【図４】本発明に係るダブルデッキエレベーターの第２の実施例を示す上かごの上面図である。
【図５】本発明に係るダブルデッキエレベーターの第２の実施例を示す下かごの上面図である。
【発明を実施するための形態】
【００１２】
以下、本発明に係るダブルデッキエレベーターの実施例を図により説明する。
【００１３】
ダブルデッキエレベーターは、図１に示すように、昇降路内を昇降する主枠１と、この主枠１の内側に配置され、一対の上かごガイドレール２に沿って上下動可能な上かご３と、この上かご３の下部に取付けられる２つの上かごプーリ４ａ、４ｂと、主枠１の内側で上かご３の下方に配置され、一対の下かごガイドレール５に沿って上下動可能な下かご６と、この下かご６の下部に取付けられる２つの下かごプーリ７ａ、７ｂと、主枠１の上部に搭載され、かつかご位置調整駆動シーブ８ａを有し、上かご３及び下かご６を上下動させることにより両者の間隔を変化させるかご位置調整駆動装置８と、かご位置調整駆動シーブ８ａ、上かごプーリ４ａ、４ｂ、及び下かごプーリ６ａ、６ｂに巻き掛けられ、上かご３及び下かご６を主枠１に対して吊り下げるかご位置調整ロープ９とを備えている。このかご位置調整ロープ９は、一端が上部梁１ｆに弾性体１４を介して固定され、他端は、中間梁１ｄに弾性体１５を介して固定されている。
【００１４】
主枠１は、一対の縦枠１ａ、１ｂ、上梁１ｃ、中間梁１ｄ、下梁１ｅ、及びかご位置調整駆動装置８が載置される上部梁１ｆから形成されている。また、上部梁１ｆと中間梁１ｄとの間に、かご位置調整ロープ９により垂下された上かご３が配置されるとともに、中間梁１ｄと下梁１ｅとの間に、かご位置調整ロープ９により垂下された下かご６が配置される。さらに、中間梁１ｄ上には、上かご緩衝器１０が設けられているとともに、下梁１ｅ上には、下かご緩衝器１１が設けられている。さらにまた、主枠１の四隅には、昇降路に立設されたガイドレール１２に摺接するガイドシュー１３が取付けられている。そして、主ロープ１４を介して昇降路に垂下された主枠１は、ガイドレール１２に沿って上下に移動する。
【００１５】
対となって互いに対峙する上かごプーリ４ａ、４ｂ、及び下かごプーリ７ａ、７ｂのそれぞれは、図２及び図３に示すように、レール芯と交差するように斜めに取付けられるとともに、上かごプーリ４ａ、４ｂに巻き掛けられたかご位置調整ロープ９の軌跡９ａと、下かごプーリ７ａ、７ｂに巻き掛けられたかご位置調整ロープ９の軌跡９ｂとが交差するように配置されている。即ち、図中、下を手前とした場合、図２に示すように、上かごプーリ４ａは上かごガイドレール２の奥、上かごプーリ４ｂは上かごガイドレール２の手前、図３に示すように、下かごプーリ７ａは下かごガイドレール５の手前、下かごプーリ７ｂは下かごガイドレール５の奥にそれぞれ配置される。
【００１６】
上かご緩衝器１０は、図２に示すように、対となるように２つ設けられるとともに、上かごプーリ４ａ、４ｂに巻き掛けられたかご位置調整ロープ９の軌跡９ａと交差する位置に配置されている。また、下かご緩衝器１１は、対となるように２つ設けられるとともに、下かごプーリ７ａ、７ｂに巻き掛けられたかご位置調整ロープ９の軌跡９ｂと交差するように配置されている。
【００１７】
第１の実施例にあっては、対となって互いに対峙する上かごプーリ４ａ、４ｂ、及び下かごプーリ７ａ、７ｂのそれぞれを、レール芯と交差するように斜めに取付けることで、上かごガイドレール２及び下かごガイドレール５と干渉しないかご位置調整ロープ９のローピングを可能とするとともに、かご位置調整ロープ９がかごの重心を支えることを可能とした。また、上かごプーリ４ａ、４ｂに巻き掛けられたかご位置調整ロープ９の軌跡９ａと、下かごプーリ７ａ、７ｂに巻き掛けられたかご位置調整ロープ９の軌跡９ｂとは交差するものであることから、上かご３のローピングと、下かご６のローピングが互いに干渉することがない。
【００１８】
第１の実施例によれば、上かごガイドレール２及び下かごガイドレール５と干渉しないかご位置調整ロープ９のローピングを可能とした。また、かご位置調整ロープ９が上かご３及び下かご６の重心を支えることも可能とし、これによって、上かご３及び下かご６の偏荷重を軽減し、走行中の振動が少なく乗り心地の良いエレベーターとすることができる。
【００１９】
ここで、図４及び図５に基づき本発明に係る第２の実施例を説明する。なお、前述したものと同等のものには同一符号が付してある。
【００２０】
第２の実施例にあっては、上かごプーリ４ａ、４ｂ及び下かごプーリ７ａ、７ｂの配置が、前述した第１の実施例に示すものと逆の組み合わせとなっている。即ち、図中、下を手前とした場合、図４に示すように、上かごプーリ４ａは上かごガイドレール２の手前、上かごプーリ４ｂは上かごガイドレール２の奥、図５に示すように、下かごプーリ７ａは下かごガイドレール５の奥、下かごプーリ７ｂは下かごガイドレール５の手前にそれぞれ配置される。
【００２１】
第２の実施例によれば、前述したものと同様の効果を得ることができる。
【符号の説明】
【００２２】
１  主枠
２  上かごガイドレール
３  上かご
４ａ、４ｂ  上かご
５  下かごガイドレール
６  下かご
７ａ、７ｂ  下かごプーリ
８  かご位置調整駆動装置
８ａ  かご位置調整駆動シーブ
９  かご位置調整ロープ
１０  上かご緩衝器
１１  下かご緩衝器
１２  ガイドレール
１３  ガイドシュー
１４  主ロープ
【図１】
2010275042.tif 000003
【図２】
2010275042.tif 000004
【図３】
2010275042.tif 000005
【図４】
2010275042.tif 000006
【図５】
2010275042.tif 000007